(57)【要約】  【課題】  エアーフィルターの目詰まり状態における器具の急激な温度上昇と、運転開始時の異常加熱による安全装置の作動を防止することを目的とする。  【解決手段】  バーナー１と、燃焼室２と、外部から取り込んだ空気を供給する送風ファン３及びファンモーター４と、前記ファンモーター４の回転数を検出する回転数検知器２４と、空気吸い込み口に設けたエアーフィルター８と、燃料供給量及び回転数を制御して燃焼量を設定する制御装置１３と、前記ファンモーターの出力を検出するファンモーター出力検出装置２７と、所定のタイミングでファンモーター４の出力を記憶するファンモーター出力記憶装置２８と、運転開始時にファンモーター４の出力が前記ファンモーター出力記憶装置２８の記憶値から所定量変化した場合にファンモーターの回転数を所定回転数変更して運転する制御手段２０を設けたものである。【選択図】  図１
2005055022.tif 000002
【特許請求の範囲】
【請求項１】
燃料を燃焼するバーナーと、前記バーナからの燃焼ガスと外部より取り込んだ空気を混合する燃焼室と、外部から取り込んだ空気を前記バーナーに供給するとともに温風を送出するための送風ファン及びファンモーターと、前記ファンモーターの回転数を検出する回転数検知器と、空気吸い込み口に設けたエアーフィルターと、前記バーナーへの燃料供給量及びファンモーターの回転数を制御して燃焼量を設定する制御装置と、前記ファンモーターの出力を検出するファンモーター出力検出装置と、所定のタイミングでファンモーターの出力を記憶するファンモーター出力記憶装置と、運転開始時にファンモーターの出力が前記ファンモーター出力記憶装置の記憶値から所定量変化した場合にファンモーターの回転数を所定回転数変更して運転する制御手段を設けたことを特徴とする温風暖房装置。
【請求項２】
送風ファンからの送風量の低下を検出する目詰まり検出手段と、前記目詰まり検出手段の出力を記憶する目詰まり記憶装置と、前記目詰まり検出手段の出力が前記目詰まり記憶装置の記憶値から所定量変化させたレベルに設定した第１検知閾値に到達したとき目詰まり検出手段の出力に応じてファンモーターの回転数を制御する制御手段を備え、前記制御手段は運転開始時にファンモーターの出力がファンモーター出力記憶装置の記憶値から所定量変化した場合に前記第１検知閾値を所定値変更すること特徴とする請求項１記載の温風暖房装置。
【請求項３】
送風ファンからの送風量の低下を報知する報知手段を備え、制御手段は目詰まり検出手段の出力が第１検知閾値よりも目詰まり量の多い第２検知閾値に到達したとき、前記報知手段による報知とファンモーターの回転数の制御を行い、さらに運転開始時にファンモーターの出力がファンモーター出力記憶装置の記憶値から所定量変化した場合に前記第２検知閾値を所定値変更すること特徴とする請求項１または２記載の温風暖房装置。
【請求項４】
制御手段は、目詰まり検出手段の出力が第２検知閾値よりも目詰まりの量の多い第３検知閾値に到達したときバーナーの燃焼を停止し、さらに制御手段は運転開始時にファンモーターの出力がファンモーター記憶装置の記憶値から所定量変化した場合は前記第３検知閾値を所定値変更すること特徴とする請求項１または２記載の温風暖房装置。
【請求項５】
ファンモーター出力検出装置は、ファンモーターの電流値を検出する構成とした請求項１〜４のいずれか１項記載の温風暖房機。
【請求項６】
目詰まり検出手段は、燃焼室上部または前部に取り付けられた温度検出器で構成した請求項１〜４のいずれか１項記載の温風暖房機。
【発明の詳細な説明】
【技術分野】
【０００１】
本発明は、石油ファンヒーターやガスファンヒーターなどの温風暖房機に関するものである。
【背景技術】
【０００２】
従来の温風暖房装置は図６に示すように、バーナー１にて供給されたガスの燃焼を行い、燃焼により発生した排気ガスと空気を混合する燃焼室２がある。バーナー１の下方には温風を送出するための送風ファン３が設けられ、送風ファン３を駆動するためのファンモーター４が送風ファン３の側面に取り付けられている。ファンモーター４には回転数を検知するための回転数検知器１４が設けられている。また、送風ファン３の前方には温風吹出し口５が取り付けられ、ケース６の後面には対流用空気７を取り入れるためのエアーフィルター８があり、その内側には室温を検出するための室温検出器９が設けられている。
【０００３】
燃焼室２の上部には温度検出器１０が設けられ、燃焼熱で加熱された温風温度を検出し、温風温度が所定温度以上に上昇すると、エアーフィルター８より取り込まれる空気量が減少している、すなわちエアーフィルター８にほこりが付着していると判断し、目詰まり表示器１１により掃除を促す表示を行う。操作部には暖房運転の入り切りを指示する運転スイッチ１２がある。制御装置１３と、バーナー１、ファンモーター４、室温検出器９、温度検出器１０、運転スイッチ１２は図の点線で示すように電気的につながっていて、設定の室温になるように各部品の制御をしている。
【０００４】
上記構成において、その動作について説明すると、運転スイッチ１２を押すと所定のシーケンスに基づいてバーナー１で燃焼動作が開始され、発生する高温の排気ガスとエアーフィルター８を介して取り込まれた対流用空気が燃焼室２の燃焼風路内で混合される。混合された温風は、送風ファン４によって前面下部の温風吹出し口５から室内に送出され暖房を行う。バーナ１の燃焼量は室温検出器９で検出された室温と設定温度を比較し、前記室温が設定温度になるようにコントロールする。また、上記燃焼動作の過程においては、燃焼室２の上部に設けられた温度検出器１０が常に燃焼ガスで加熱された温風の温度を検出するようになっており、例えば、エアーフィルター８にほこりが付着すると、燃焼に必要な空気が減少して、燃焼は炎が伸びた状態となって燃焼室２の温度が上昇する。それと同時に、ほこりが付着すると燃焼に必要な対流用空気を吸い込みにくくなり、ファンモーター４の負荷が減少しファンモーター４の回転数が上昇する。これはファンモーター４の特性に任せるもので、回転数のフィードバック制御をしていない駆動方式において起こる現象であり、エアーフィルター８にほこりが付着し始めると、回転数が上昇し対流用空気を多く取り込むように作用して自己補正を行う。但し、上記した如く、ファンモーター４の特性によって限界がある。
【０００５】
また、ファンモーター４に直流電圧を供給して駆動するＤＣモーターの場合は別の方式としてファン回転数が一定になるよう制御する回転数制御方式がある。この方式は、ファンモーター４の回転数を回転数検知器１４が検知してガスの燃焼量に見合う回転数になるように制御するため、エアーフィルター８にほこりが詰まってきても回転数が上昇しにくい。
【０００６】
温度検出器１０は燃焼室２の温度が上昇したことを検出すると、制御装置１３に信号が送られ、掃除の必要性を促す表示を目詰まり表示器１１で行うように制御する。これを一般的にフィルターサインといい、このフィルターサイン表示で使用者はエアーフィルター８にほこりが付着したことを知り、ほこり除去を行い、正常な運転を継続するようにしていた（例えば、特許文献１参照）。
【特許文献１】特開平４−３４００５３号公報
【発明の開示】
【発明が解決しようとする課題】
【０００７】
しかしながら、フィルターサインが表示されても、そのまま暖房運転を継続させると、次のような不具合が生じる。まず、上記従来例においてファンモーターの特性にまかせ自然に回転数が上昇する駆動方式においては、エアーフィルターの目詰まり等でファンモーターの負荷が軽減すると、それに応じてファン回転数がモーターの特性により増加する。しかし、エアーフィルターの目詰まり状態は徐々に進行するため、その増加する回転数は少なく、初期の微小な目詰まりにあっては、対流用空気の減少量に比べ、回転数の増加分が少なく、器具を冷却するのに十分な送風量が得られず器具の温度上昇が発生する。
【０００８】
一方、ファン回転数が一定になるようモーターの制御電圧を制御する回転数制御方式は、器具の個体差に関係なくファン回転数を一定に制御するため、エアーフィルターに目詰まりして負荷が軽減してもファン回転数は一定に維持され、エアーフィルターの目詰まりによる吸入空気の減少を補うことができず、風量が目詰まりの状態に応じて低下し、器具の温度上昇が促進される。
【０００９】
このように器具の温度が上昇すると、異常過熱時に燃焼を停止する安全装置が頻繁に作動してしまう欠点があった。さらに、エアーフィルターに目詰まりがある状態で燃焼を開始すると、ファンモーターの回転数の立ち上がりの遅れにより、温度検出器の温度が上昇し、フィルターサインが作動したり、燃焼を停止させる安全装置が作動する。
【００１０】
本発明は上記従来の課題を解決するもので、エアーフィルターの目詰まり状態における器具の急激な温度上昇を防ぐとともに、運転開始時の異常加熱による安全装置の作動による燃焼停止を防止し、使用者が安心して使用できる温風暖房機を提供することを目的とする。
【課題を解決するための手段】
【００１１】
上記目的を達成するため本発明の温風暖房機は、燃料を燃焼するバーナーと、前記バーナからの燃焼ガスと外部より取り込んだ空気を混合する燃焼室と、外部から取り込んだ空気を前記バーナーに供給するとともに温風を送出するための送風ファン及びファンモーターと、前記ファンモーターの回転数を検出する回転数検知器と、空気吸い込み口に設けたエアーフィルターと、前記バーナーへの燃料供給量及びファンモーターの回転数を制御して燃焼量を設定する制御装置と、前記ファンモーターの出力を検出するファンモーター出力検出装置と、所定のタイミングでファンモーターの出力を記憶するファンモーター出力記憶装置と、運転開始時にファンモーターの出力が前記ファンモーター出力記憶装置の記憶値から所定量変化した場合にファンモーターの回転数を所定回転数変更して運転する制御手段を設けたものである。
【００１２】
上記発明によれば、エアーフィルターがほこりで目詰まりすると、ファンモーター運転開始時または燃焼開始時にファンモーター出力検出装置がこれを検出して、ファンモーターの回転数を所定回転数高くなるように制御し、エアーフィルターが目詰まりしてもフィルターサインが作動したり、異常過熱時に燃焼を停止する安全装置が作動しないようにする。
【発明の効果】
【００１３】
以上のように本発明によれば、運転開始時または燃焼開始時、エアーフィルターの目詰まり等により送風量が低下していても、ファンモーターの回転数を高くして運転し、さらに第１検知閾値、第２検知閾値、第３検知閾値を所定値変更することにより、フィルターサインの作動や、さらに運転停止状態になることを防止できる。
【００１４】
さらに通常の燃焼時には、エアーフィルターや他の部品に埃が付着した場合でも外装ケースの温度上昇を抑制して、外装ケースに触ってもやけどがないようにできるため、安全性の高い温風暖房機を提供することができる。
【発明を実施するための最良の形態】
【００１５】
請求項１記載の発明は、燃料を燃焼するバーナーと、前記バーナからの燃焼ガスと外部より取り込んだ空気を混合する燃焼室と、外部から取り込んだ空気を前記バーナーに供給するとともに温風を送出するための送風ファン及びファンモーターと、前記ファンモーターの回転数を検出する回転数検知器と、空気吸い込み口に設けたエアーフィルターと、前記バーナーへの燃料供給量及びファンモーターの回転数を制御して燃焼量を設定する制御装置と、前記ファンモーターの出力を検出するファンモーター出力検出装置と、所定のタイミングでファンモーターの出力を記憶するファンモーター出力記憶装置と、運転開始時にファンモーターの出力が前記ファンモーター出力記憶装置の記憶値から所定量変化した場合にファンモーターの回転数を所定回転数変更して運転する制御手段を設けたことを特徴とするものである。
【００１６】
そして、ファンモーター出力記憶装置でエアーフィルターの目詰まりしていない状態、つまりファンモータの負荷の初期値を記憶し、運転開始時にファンモーター出力検出装置の出力が初期値から所定量変化していたら、ファンモーターを所定回転数高い回転数で回転させるファンモーターの制御が可能となり、エアーフィルターが目詰まりしてファンモータの負荷が変動した場合でも直ちにフィルターサインが作動したり、異常過熱時に燃焼を停止する安全装置が作動しないようにして、運転時間を所定期間延長することができ、その間にフィルターの掃除を行えば、継続して暖房運転をすることができ、使い勝手の向上が図れる。
【００１７】
請求項２記載の発明は、送風ファンからの送風量の低下を検出する目詰まり検出手段と、前記目詰まり検出手段の出力を記憶する目詰まり記憶装置と、前記目詰まり検出手段の出力が前記目詰まり記憶装置の記憶値から所定量変化させたレベルに設定した第１検知閾値に到達したとき目詰まり検出手段の出力に応じてファンモーターの回転数を制御する制御手段を備え、前記制御手段は運転開始時にファンモーターの出力がファンモーター出力記憶装置の記憶値から所定量変化した場合に前記第１検知閾値を所定値変更することを特徴とするものである。
【００１８】
そして、燃焼初期に目詰まり等による送風ファンからの送風量の低下状態を検出して、前記第１検知閾値を所定値変更することにより、ファンモーターの回転数を早期に変更して、通常燃焼では目詰まり報知しないのに運転開始時に目詰まりを報知することがないよう制御をすることが可能となる。
【００１９】
請求項３記載の発明は、送風ファンからの送風量の低下を報知する報知手段を備え、制御手段は目詰まり検出手段の出力が第１検知閾値よりも目詰まり量の多い第２検知閾値に到達したとき、前記報知手段による報知とファンモーターの回転数の制御を行い、さらに運転開始時にファンモーターの出力がファンモーター出力記憶装置の記憶値から所定量変化した場合に前記第２検知閾値を所定値変更することを特徴とするものである。
【００２０】
そして、燃焼初期に目詰まり等による送風ファンからの送風量の低下状態を検出して、前記第２検知閾値を所定値変更することにより、通常燃焼では目詰まり報知しないのに運転開始時に目詰まりを報知することがないよう制御をすることが可能となる。
【００２１】
請求項４記載の発明は、制御手段は、目詰まり検出器の出力が第２検知閾値よりも目詰まりの量の多い第３検知閾値に到達したときバーナーの燃焼を停止し、さらに制御手段は運転開始時にファンモーターの出力がファンモーター記憶装置の記憶値から所定量変化した場合は前記第３検知閾値を所定値変更することを特徴とするものである。
【００２２】
そして、燃焼初期に目詰まりの状態を検出して、前記第３検知閾値を所定値変更することにより、通常燃焼では目詰まり報知しないのに運転開始時に目詰まりを報知することがないよう制御をすることが可能となる。
【００２３】
請求項５記載の発明は、ファンモーター出力検出装置は、ファンモーターの電流値を検出する構成としたもので、運転開始時でも、エアーフィルターのほこり詰まりの状態を正確に検出できる。
【００２４】
請求項６記載の発明は、目詰まり検出手段は燃焼室上部または前部に取り付けられた温度検出器で構成したものであり、安価に、かつ正確に目詰まりの状態を検出することができる。
【実施例】
【００２５】
以下、本発明の一実施例を図面を参照しながら説明する。
【００２６】
（実施例１）
図１は、本発明の実施例１の温風暖房機の基本構成を示す側面断面図である。図１において、１４は外装ケースであり、パネル１５と底板１６とで機器の外装を構成する。外装ケース１４は機器の背面上部に当たる位置に空気吸入口１７を、前面下部に当たる位置に温風吹出口５を有し、空気吸入口１７にはエアーフィルター８が取り付けられている。エアーフィルター８は容易に取り外し、手入れできるよう外装ケース１４に引っ掛けて取り付ける構造となっている。２は外装ケース１４内に設けられた燃焼室、１は燃焼室２に設けられたバーナー、１８はバーナー１にガスを調整供給する比例弁、１９がガスを遮断する電磁弁である。３は燃焼室２の下部に設けられたクロスフローファンよりなる送風ファン、４は送風ファン３を駆動するファンモーターで、このファンモーター４には回転数を検出する回転数検知器２４が設けられている。パネル１５の前方部に運転スイッチ１１がある。１３は制御装置であり、２０は制御装置１３内に設けられた制御手段である。９は空気吸いこみ近傍に設けられたサーミスターよりなる室温検知器である。２５は燃焼室２の上部に配置し温風温度を検知する温度検出器でエアーフルターの目詰まり等による送風ファンからの送風量の低下状態を検出する目詰まり検出器を形成している。２６は目詰まりがないときの目詰まり検出器２５の出力を記憶する目詰まり記憶装置である。２７は、ファンモーター４の出力を検出するファンモーター出力検出装置で、ファンモータ４の電流値を検出し出力値を求めるようにしている。２８は、エアーフィルター８に目詰まりがないときのファンモーター出力検出装置２７の出力を記憶するファンモーター出力記憶装置である。パネル１５には、温度設定器２３、目詰まり表示器１２、報知手段２９が設けられている。目詰まり表示器１２を表示することを一般的にはフィルターサインと呼んでいる。
【００２７】
次に動作について説明する。運転スイッチ１１が投入されると制御装置１３はファンモーター４を始動させ、バーナー１にガスを供給する。室内空気が送風ファン３によって空気吸入口１７から外装ケース１４内に吸入され、その一部は燃焼室２に入り、バーナー１でガス燃料と混合され燃焼する。また、制御装置１３は、燃焼を継続させるようガス供給量とファンモーター４の回転数とを調整する。バーナー１の燃焼ガスは排出された後、燃焼室２を冷却する燃焼室２と覆板２１とで形成される通路を流れる空気と合流して送風ファン３に吸入される。そして、送風ファン３から吐出された温風はファンケース２２にそって温風吹出口５へと誘導され、室内に放出される。
【００２８】
このような暖房運転中、制御装置１３は温度設定器２３による設定温度と室温検知器９の検出温度との差温の大きさに応じてバーナー１でのガス消費量を定める。図２に示すように、例えば８〜１０畳の部屋の暖房を目安としたものでは、ガス消費量は０．６４ｋＷ（最小燃焼）〜３．４９ｋＷ（最大燃焼）の範囲で多段階に調整される。そして、このガス消費量が得られるように、制御装置１３は比例弁１８の弁開度を調節しバーナー１へのガス供給量を制御するとともに、ファンモーター４の回転数制御を行い、送風ファン３によるバーナー１への空気供給量を制御する。ファンモーター４の回転数制御は回転数検知器２４からの回転数信号と目標回転数とを比較し、ファンモーター４の回転数が目標回転数になるようにファンモーター４の制御値を調節する。送風ファン３の目標回転数は、通常燃焼時においては５５０ｒｐｍ（最小燃焼）〜９５０ｒｐｍ（最大燃焼）の範囲である。
【００２９】
本実施例においては、ファンモーター４は回転数検知器２４を内蔵したＤＣモーターで構成しており、負荷電源（０〜４５Ｖ）と内蔵された制御ＩＣ用の電源（５Ｖ）とが接続されている。ファンモーター４が始動すると回転数検知器２４が回転数に見合った信号を出力し回転数を制御装置１３に伝える。制御装置１３は回転数信号を入力し回転数データーに加工し、回転数が与えられた機器の各燃焼状態における目標回転数となるようファンモーター４の回転数を調整するため、ファンモーター４の回転数を一定に保つことができる。尚、本実施例ではＤＣモーターによる構成で説明したが、ＡＣモーターを用いて位相制御をおこない回転数の制御を行うようにしてもよい。
【００３０】
ところで、暖房運転をしながら機器を使用していくと、エアーフィルター８が徐々に目詰まりしていき、目詰まり検出器２５の出力が増加していく。図３において、最大燃焼・最小燃焼における目詰まり検出器２５の出力変化を説明する。グラフの横軸は、エアーフィルター８の目詰まりの状態、縦軸は目詰まり検出器２５が検出した目詰まり度合いを示すものであり、目詰まり検出器２５として温度検出器を用いる場合が多い。目詰まりが進行していくと目詰まり検出器２５の出力がほぼ比例して増加する。よって目詰まりの状態を目詰まり検出器２５は正確に検出できる。ただし、このグラフは機器を１０分程度燃焼させた安定時の状態である。
【００３１】
図４にその動作を示す。エアーフィルター８が目詰まりしていない状態、たとえば製造ラインで一定の室温において測定した場合であるが、目詰まり検出器２５の出力を目詰まり記憶装置２６が記憶する。目詰まり記憶装置２６の出力よりも所定量変化したら第１検知閾値として検出して、目詰まり検出器２５の出力に応じてファンモーター４の回転数を連続的に増加させる。同じ室温でも機器間の個体差があるため、目詰まり検出器２５の出力は一定にならない。目詰まり検出器２５の出力の絶対値で第１検知閾値を決定すると、ばらつきにより目詰まりしていないのに第１検知閾値に達しファンモーター４の回転数を上げ、騒音が大きくなり、温風の温度が低下する場合があるので、記憶装置により記憶された目詰まりの無い状態を基に所定の温度を加算し第１検知閾値とする。よって、正確に目詰まりの程度を検知することができ、ファンモーターの制御も適切に行うことができる。
【００３２】
また、目詰まりのない組み立てた状態での目詰まり検出器２５の出力を目詰まり記憶装置２６が記憶せずに、目詰まり検出器２５の出力の絶対値で第１検知閾値を決定することもできる。
【００３３】
エアーフィルター８の目詰まりがさらに進行して、目詰まり検出器２５の出力が記憶装置２６の出力よりも所定量変化した第２検知閾値温度を検出すると、目詰まり表示器１２を表示して、使用者にエアーフィルター８の掃除を促すフィルターサインを出す。ここでファンモーター４の回転数をさらに連続的に上げる、もしくは段階的に、一定増加させるなどの制御をおこなってもいい。ファンモーター４の回転数を目詰まりの度合いに応じて高くするため、外装ケース１４の温度が急に高くなることを防止できる。エアーフィルター８にガーゼ１０枚程度をかぶせた時にも、外装ケース１４を触ったときに危険がない温度に抑えることができる。ここで、ファンモーター４の回転数を下げ、さらに比例弁１８によりバーナー１に供給するガス量を絞り、燃焼量を制限する場合もある。こうすることにより、目詰まりしても外装ケース１４の温度上昇を抑制できる。
【００３４】
第２検知閾値よりもさらに所定量目詰まりが進行し、過度の目詰まりによる機体の異常過熱をもたらす第３検知閾値を目詰まり検出器２５が検出すると、暖房運転を停止するよう制御手段２０が電磁弁１９を閉弁し、ガスの供給を遮断して燃焼を止めるものである。第３検知閾はこれ以上目詰まりしたら外装ケース１４の温度が高くなり、触ったらやけどをする可能性がある出力に設定されている。これにより使用者がエアーフィルター８の掃除をせずに使用しても、機器を安全に扱えるよう、また、機器に不具合が生じないように事前に燃焼を止める。
【００３５】
図５において、エアーフィルター８の目詰まりとファンモーター出力検出装置２７の出力との関係を示す。目詰まりするほどファンモーター出力検出装置２７の出力は低下する。この出力は運転開始時でも長時間燃焼した状態でもほぼ一定である。目詰まりがない状態たとえば工場で組み立てた際に、ファンモーター出力検出装置２７の出力をファンモーター出力記憶装置２８が記憶する。エアーフィルター８が目詰まりした状態で運転（燃焼）開始した場合、ファンモーター出力検出装置２７の出力は低下する。この出力を、目詰まりがない状態のファンモーター出力記憶装置２８が記憶した出力と比較して、所定量変化していたら、ファンモーター８を所定回転高くして運転する。
【００３６】
燃焼初期にこの制御をしないと、燃焼室２に設けられた目詰まり検出器２５の出力は高くなり、目詰まり検出器２５の出力が第１検知閾値に達し、ファンモーター４の回転数を所定回転高くなるよう伝達するが、ファンモーター８の応答が遅れ、回転数が目標の回転数まで達しない状態で運転されるため、第２検知閾値あるいはさらに第３検知閾値までに達してしまい、安全装置が作動し運転を止めてしまう。エアーフィルター８の掃除をしないとこういった現象が何回も続く。
【００３７】
しかしこの制御をすると、運転開始時にファンモーター４の回転数を高くして運転できるため、目詰まり検出器２５の出力は上昇せず、燃焼を停止させることもなく、外装ケース１４の温度上昇も防止できる。
【００３８】
また、外装ケース１４の前部が取り付けられていないとき、これは製造時や、あるいはメンテナンス時の場合に相当するが、ファンモーター出力検出装置２７の出力は高くなる。この状態で燃焼すると回転数は一定で制御されているため、空気が過剰になり、バーナー１にガスが供給されても着火しないという現象になる。このときは、ファンモーター４の回転数を所定回転低くして、運転を開始すると、スムーズに着火することができる。
【００３９】
次ぎに、エアーフィルター８が目詰まりした状態で運転（燃焼）開始した場合、ファンモーター出力検出装置２７の出力は低下する。この出力を目詰まりがない状態のファンモーター出力記憶装置２８が記憶した出力と比較して、所定量変化していたら、第１検知閾値を所定値変更する。ここではその値を小さくして、目詰まり検出器２５の出力の変化が小さくてもファンモーター４の回転数を制御して、早期に回転数を高くして、第２検知閾値あるいは第３検知閾値に到達しないようにする。
【００４０】
これにより、目詰まり検出器２５の出力は上昇せず、燃焼を停止させることもなく、外装ケース１４の温度上昇も防止できるため、使い勝手が向上する。
【００４１】
さらに、目詰まりの状態を報知する報知手段２９を備え、制御手段２０は、目詰まり検出器２５の出力が第１検知閾値よりも目詰まり量の多い第２検知閾値に到達後、前記報知手段２９による報知とファンモーター４の回転数の制御を行う。エアーフィルター８が目詰まりした状態で運転（燃焼）開始した場合、ファンモーター出力検出装置２７の出力は低下する。この出力を目詰まりがない状態のファンモーター出力記憶装置２８が記憶した出力と比較して、所定量変化していたら、第２検知閾値を所定値変更する。ここでは、第２検知閾値を高くして、目詰まり検出器２５の値が上昇しても第２検知閾値に到達しにくくする。これにより、目詰まり検出器２５の出力が上昇しても、従来よりも報知手段２９が報知することが少なくなる。また、外装ケース１４の温度上昇も防止できるため、使い勝手が向上する。
【００４２】
また、目詰まり検出器２５の出力が第２検知閾値よりも目詰まりの量の多い第３検知閾値に到達後、バーナー１の燃焼を停止しさせる制御手段２０を有する。
【００４３】
制御手段２０は前記ファンモーター４運転開始時（燃焼開始時）、前記ファンモーター出力検出装置２７の出力がファンモーター記憶装置２８の出力から所定量変化した場合は、前記第３検知閾値を所定値変更する。
【００４４】
ここでは、第３検知閾値を高くして、目詰まり検出器２５の値が上昇しても第３検知閾値に到達しにくくする。これにより運転開始時、目詰まり検出器２５の出力が高くなっても、従来よりも運転停止の状態にならないようにし、外装ケース１４の温度上昇も防止できるため、使い勝手が向上する。
【００４５】
ファンモーター出力検出装置２７は、ファンモーター４の電流値を検出する構成とし、ＤＣモーターの場合回転数を一定に制御した場合、燃焼室２の負荷によりファンモーター４に供給する電流が変化する。エアーフィルター８が目詰まりするほど電流値は小さくなり、また外装ケース１４の前部が開放された場合は、電流値は大きくなる。この電流値で運転初期の埃の状態や、機器の状態を検出することができる。
【００４６】
また、目詰まり検出器２５は燃焼室２上部または前部に取り付けられた温度検出器で構成してある。
【００４７】
エアーフィルター８が目詰まりしていくとここから取り入れられる空気量が減少して、バーナー１に形成される炎が伸び、燃焼室２の上部あるいは前部の温度が上昇し、ここに取り付けられた温度検出器の温度も上昇する。安価にしかも正確に目詰まりの程度を検出できる。
【図面の簡単な説明】
【００４８】
【図１】本発明の実施例１における温風暖房機の構成を示す断面図
【図２】同温風暖房機の制御特性を説明する図
【図３】同温風暖房機の目詰まり検出器の特性を説明する図
【図４】同温風暖房機の制御特性を説明する図
【図５】同温風暖房機のファンモーター出力検出装置の特性を説明する図
【図６】従来の温風暖房機の概略構成を示す側面図
【符号の説明】
【００４９】
１  バーナー
２  燃焼室
３  送風ファン
４  ファンモーター
８  エアーフィルター
１３  制御装置
２０  制御手段
２４  回転数検知器
２５  目詰まり検出器
２６  目詰まり記憶装置
２７  ファンモーター出力検出装置
２８  ファンモーター出力記憶装置
【図１】
2005055022.tif 000003
【図２】
2005055022.tif 000004
【図３】
2005055022.tif 000005
【図４】
2005055022.tif 000006
【図５】
2005055022.tif 000007
【図６】
2005055022.tif 000008